(57)【要約】      （修正有）【課題】工具に関するデータが記憶されたデータチップの取り付けを簡便に行なう技術を提供する。【解決手段】工具ホルダ１００のハウジングを形成するホルダ本体１１０と、ホルダ本体に取り付けられ、工具２００を把持する工具把持機構１２０と、ＩＤチップ取り付け機構１４０を備え、ＩＤチップ取り付け機構は、工具に関する情報を記憶する円板状のＩＤチップ１３０の下面に対向して延在する第１延在面と、第１延在面から少なくともＩＤチップのチップ厚みを隔てて第１延在部に対向して延在する第２延在面と、第１延在面及び第２延在面によって区画され、ＩＤチップの一部が保持される保持空間と、保持空間に連接して設けられ、ＩＤチップのスライド動作を可能とするとともに、当該スライド動作によってＩＤチップを保持空間へと誘導する誘導面と、保持空間で保持されたＩＤチップの誘導面側への移動を規制するべく設けられたネジ穴及び止めネジを含む。【選択図】図１
2011045968.tif 000002
【特許請求の範囲】
【請求項１】
工具を把持し、所定の加工作業に供するための工具ホルダであって、
当該工具ホルダのハウジングを形成するホルダ本体と、
前記ホルダ本体に取り付けられ、前記工具を把持する工具把持機構と、
前記ホルダ本体に形成され、前記工具に関する情報を記憶する円板状のデータチップの上面及び下面のうちのいずれか一方に対向して延在する第１延在面と、
前記第１延在面から少なくとも前記データチップのチップ厚みを隔てて前記第１延在部に対向して延在する第２延在面と、
前記第１延在面及び前記第２延在面によって区画され、前記データチップが保持される保持空間と、
前記保持空間に連接して設けられ、前記データチップのスライド動作を可能とするとともに、当該スライド動作によって前記データチップを前記保持空間へと誘導する誘導面と、
前記保持空間で保持された前記データチップがスライド動作によって前記誘導面側へと移動するのを規制する規制機構と、
を含む構成であることを特徴とする工具ホルダ。
【請求項２】
請求項１に記載の工具ホルダであって、
前記規制機構は、前記誘導面に設けられ当該誘導面と交差する方向に延在するネジ穴と、前記ネジ穴に着脱自在に螺合し、前記ネジ穴への装着時に前記誘導面から当該誘導面と交差する方向に突出するネジ部材と、
を備える構成であることを特徴とする工具ホルダ。
【発明の詳細な説明】
【技術分野】
【０００１】
本発明は、機械加工等に用いる工具を把持し、所定の加工作業に供するための工具ホルダの構築技術に関するものである。
【背景技術】
【０００２】
従来、機械加工等に用いる工具を把持する工具ホルダの構造が種々提案されている。例えば、下記特許文献１には、工具に関するデータが記憶されたデータチップがホルダ本体に取り付けられる工具ホルダが開示されている。ホルダ本体にデータチップが取り付けられるこの種の工具ホルダの設計に際しては、データチップの取り付けを簡便に行なうことが可能な取り付け構造が要請される。
【特許文献１】特開２０００−３４３３４４号公報
【発明の開示】
【発明が解決しようとする課題】
【０００３】
本発明では、工具に関するデータが記憶されたデータチップがホルダ本体に取り付けられる工具ホルダにおいて、データチップの取り付けを簡便に行なうのに有効な技術を提供することを課題とする。
【課題を解決するための手段】
【０００４】
前記課題を解決するために、本発明が構成される。なお、本発明は、工具を把持する工具ホルダを対象とするものであって、ここでいう「工具」には、穴あけ加工、研削加工、研磨加工、締付け加工等に用いられる工具が広く包含される。
【０００５】
本発明にかかる工具ホルダは、工具を把持（「挟持」ないし「保持」ともいう）し、所定の加工作業に供するためのホルダとして構成され、ホルダ本体、工具把持機構、第１延在面、第２延在面、保持空間及び規制機構を少なくとも含む。ここでいう「所定の加工作業」として典型的には、穴あけ加工、研削加工、研磨加工、締付け加工等の作業が挙げられる。なお、工具ホルダによって把持される工具は、当該工具ホルダの一構成要素であってもよいし、或いは当該工具ホルダとは別の要素として構成されてもよい。すなわち、工具が把持された状態の工具ホルダのみならず、工具が把持される前の状態の工具ホルダも、本発明の「工具ホルダ」の範疇に含まれる。
【０００６】
ホルダ本体は、工具ホルダのハウジングを形成する。このハウジングは、工具ホルダ自体の外郭をなすハウジングとして構成されてもよいし、或いは工具が工具ホルダごと加工機に取り付けられた状態では、工具ホルダ自体の外郭をなすハウジングと加工機のハウジングとによって構成されてもよい。工具使用の際には、このホルダ本体に取り付けられた工具把持機構を介して工具が把持される。
【０００７】
第１延在面は、ホルダ本体に形成され、工具に関する情報を記憶する円板状のデータチップの上面及び下面のうちのいずれか一方に対向して延在する構成とされる。なお、この第１延在面は、ホルダ本体に直接的に形成されてもよいし、ホルダ本体に取り付けられる別部材に形成されてもよい。また、データチップは工具ホルダの一構成要素とされてもよいし、或いは工具ホルダとは別の要素とされてもよい。すなわち、本発明にかかる工具ホルダは、データチップが取り付けられた状態の工具ホルダとして構成されてもよいし、或いはデータチップが取り付けられる前の状態の工具ホルダとして構成されてもよい。また、ここでいう「工具に関する情報」には、工具名、工具番号、工具径、工具長、工具使用や工具寿命についての時間、工具の使用条件等のデータが広く包含される。このデータチップは、外部との通信によって記憶されたデータの修正や更新が可能とされた通信機構を有する構成であってもよいし、或いはデータを単に表示する機能のみを有する構成であってもよい。
【０００８】
第２延在面は、第１延在面から少なくともデータチップのチップ厚みを隔てて第１延在部に対向して延在する構成とされる。本構成では、データチップの上面及び下面のうち、第１延在面に対向する面とは反対側の面が第２延在面に対向する。この第２延在面は、ホルダ本体に直接的に形成されてもよいし、ホルダ本体に取り付けられる別部材に形成されてもよい。
【０００９】
保持空間は、第１延在面及び第２延在面によって区画され、データチップが保持される空間（領域）として構成される。データチップは、その少なくとも一部が保持空間に配設されることによって保持される。これにより、保持空間で保持されたデータチップは、第１延在面と交差する方向の移動が規制される。
【００１０】
誘導面は、保持空間に連接して設けられ、データチップのスライド動作を可能とするとともに、当該スライド動作によってデータチップを保持空間へと誘導する構成とされる。本構成では、データチップを誘導面上でスライド動作させつつ当該データチップを保持空間に挿入することが可能となる。これにより、データチップの取り付けを簡便に行なうことが可能となる。特に、保持空間を区画する第１延在面及び第２延在面を、ホルダ本体自体によって構成することで、データチップの取り付け構造が簡素化される。
【００１１】
規制機構は、保持空間で保持されたデータチップが、第１延在面に沿って誘導面側へと移動するのを規制する機能を有する。この規制機構により、誘導面上をスライド動作させて保持空間に挿入されたデータチップは誘導面側への移動が阻止される。従って、保持空間に挿入されたデータチップは、規制機構と前述の第１延在面及び第２延在面との協働によって、第１延在面に沿った誘導面側への移動と、第１延在面と交差する方向の移動の両方が規制されて確実に保持される。
【００１２】
また本発明にかかる更なる形態の工具ホルダでは、ネジ穴及びネジ部材を備える構成であるのが好ましい。ネジ穴は、誘導面に設けられ当該誘導面と交差する方向に延在する構成とされる。ネジ部材は、ネジ穴に着脱自在に螺合し、ネジ穴への装着時に誘導面から当該誘導面と交差する方向に突出してデータチップの誘導面側への移動を規制する構成とされる。
このような構成によれば、データチップを保持空間に保持した取り付け状態では、ネジ部材をネジ穴に装着することによってデータチップが工具ホルダから外れるのを防止する一方、ネジ部材をネジ穴から脱着した状態では、データチップの取り外し或いは交換が可能となる。従って、データチップの取り付けのみならず、データチップの取り外しや交換を簡便に行なうのに有効とされる。
【発明の効果】
【００１３】
以上のように、本発明によれば、工具に関するデータが記憶されたデータチップがホルダ本体に取り付けられる工具ホルダにおいて、データチップの取り付けを簡便に行なうことが可能となった。
【発明を実施するための最良の形態】
【００１４】
以下に、本発明における一実施の形態の工具ホルダの具体的な構成及び作用効果を、図面に基づいて説明する。
【００１５】
図１には、本発明の「工具ホルダ」にかかる一実施の形態の工具ホルダ１００の縦断面構造が示され、図２には本実施の形態の工具ホルダ１００に取り付けられるＩＤチップ１３０の斜視図が示される。
【００１６】
図１に示すように、本実施の形態の工具ホルダ１００は、被加工物（図示省略）の所定の加工作業を行なう工具２００（図中の二点鎖線参照）を把持（「挟持」ないし「保持」ともいう）するホルダであって、概してホルダ本体１１０及び工具把持機構１２０を含む。この工具ホルダ１００は、工具２００を把持して当該工具２００ごと、加工機（図示省略）に取り付けられる。ここでいう「所定の加工作業」として典型的には、穴あけ加工、研削加工、研磨加工、締付け加工等の作業が挙げられる。
【００１７】
ホルダ本体１１０は、工具ホルダ１００のハウジングを形成する。このホルダ本体１１０は、ホルダ先端部１１０ａ内に工具把持機構１２０が設けられている。この工具ホルダ１００は、全体として工具２００の長軸状の工具端部（「被挿設部」ともいう）の把持が可能とされた長尺状の金属製部材として構成される。ここでいう工具２００が本発明における「工具」に相当し、この工具２００として、典型的には穴あけ加工、研削加工、研磨加工、締付け加工等に用いられる工具が挙げられる。またここでいうホルダ本体１１０が、本発明における「ホルダ本体」に相当する。工具把持機構１２０は、ホルダ本体１１０のホルダ先端部１１０ａに取り付けられ、工具２００の長軸状の工具端部を把持する機構として構成される。ここでいう工具把持機構１２０が、本発明における「工具把持機構」に相当する。
【００１８】
また本実施の形態では、ホルダ本体１１０にＩＤチップ１３０を着脱自在に取り付けることが可能なＩＤチップ取り付け機構１４０が設けられている。図２に示すように、このＩＤチップ１３０は全体として円板状に構成され、所定のチップ厚みｄ１を有するデータチップとされる。このＩＤチップ１３０には、工具把持機構１２０が把持する工具２００に関する情報（データ）が記憶される。工具２００に関する情報として典型的には、工具名、工具番号、工具径、工具長、工具使用や工具寿命についての時間、工具の使用条件等のデータ等が挙げられる。このＩＤチップ１３０は既知の構造とされ、概してアンテナの作用をするコイルと、情報を記憶するメモリを有する回路が合成樹脂で一体状にモールド゛成形されている。従って、このＩＤチップ１３０は、コイル（アンテナ）を介して外部との通信が可能な通信機能を有し、記憶されている情報の修正や更新が可能とされる。ここでいうＩＤチップ１３０が、本発明における「データチップ」に相当する。
【００１９】
なお、このＩＤチップ１３０に関し、必要に応じては、情報を単に表示する機能のみを有する構成のデータチップを用いることもできる。また、ＩＤチップ１３０は工具ホルダ１００の一構成要素とされてもよいし、或いは工具ホルダ１００とは別の要素とされてもよい。すなわち、本実施の形態の工具ホルダ１００は、ＩＤチップ１３０が取り付けられた状態の工具ホルダとして構成されてもよいし、或いはＩＤチップ１３０が取り付けられる前の状態の工具ホルダとして構成されてもよい。
【００２０】
ＩＤチップ取り付け機構１４０の具体的な構成に関しては、図３及び図４が参照される。ここで図３には、図１中の工具ホルダ１００におけるＩＤチップ取り付け領域の拡大図であって、ＩＤチップ１３０が取り付けられる前の状態が示され、また図４には、図１中の工具ホルダ１００におけるＩＤチップ取り付け領域の平面図であって、ＩＤチップ１３０が取り付けられる前の状態が示されている。
【００２１】
図３及び図４に示すように、このＩＤチップ取り付け機構１４０は、溝部１４３、保持空間１４４、導入部１４５、ネジ穴１４８及び止めネジ１４９を含む構成とされる。
【００２２】
溝部１４３は、ホルダ本体１１０に形成された溝状部分であり、ホルダ本体１１０の下壁１４１に形成される第１延在面１４１ａと、ホルダ本体１１０の上壁１４２に形成される第２延在面１４２ａを有する。これら延在面１４１ａ，１４２ａは、互いに平行状に対向し、ＩＤチップ１３０を部分的に保持するための保持空間１４４を区画形成する。ここでいう保持空間１４４が、本発明における「保持空間」に相当する。従って、第１延在面１４１ａと第２延在面１４２ａとの離間距離（図３中の離間距離ｄ２）は、ＩＤチップ１３０のチップ厚み（図２中のチップ厚みｄ１）を上回るように構成されている。
【００２３】
第１延在面１４１ａは、保持空間１４４で保持されたＩＤチップ１３０の下面（図２中の下面１３０ａ）に対向して延在する延在面として構成される。本実施の形態においてこの第１延在面１４１ａは、保持空間１４４で保持されたＩＤチップ１３０の下面を支持する支持面としても構成される。ここでいう第１延在面１４１ａが、本発明における「第１延在面」に相当する。
【００２４】
一方、第２延在面１４２ａは、第１延在面１４１ａから少なくともＩＤチップ１３０のチップ厚みを隔てて第１延在面１４１ａに対向して延在する延在面として構成される。この第２延在面１４２ａは、保持空間１４４で保持されたＩＤチップ１３０の上面（図２中の上面１３０ｂ）に対向して延在する。ここでいう第２延在面１４２ａが、本発明における「第２延在面」に相当する。
【００２５】
導入部１４５は、溝部１４３の保持空間１４４へとＩＤチップ１３０を導入する機能を有し、開口部１４６及び誘導面１４７を少なくとも含む構成とされる。開口部１４６は、ＩＤチップ１３０の外径を上回る形状とされ、本実施の形態では図４に示すように円形の導入領域として構成されている。この開口部１４６は、ＩＤチップ１３０を工具ホルダ１００に取り付ける際に誘導面１４７に導入するための導入開口としての、またＩＤチップ１３０を保持空間１４４から取り外す際に誘導面１４７から工具ホルダ１００の外部へと導出するための導出開口としての機構を有する。誘導面１４７は、導入部１４５の下方において第１延在面１４１ａないし保持空間１４４に連接して延在する延在面として構成される。この誘導面１４７は、ＩＤチップ１３０の第１延在面１４１ａに沿ったスライド動作を可能とするとともに、当該スライド動作によってＩＤチップ１３０を保持空間１４４へと誘導する機能を有する。ここでいう誘導面１４７が、本発明における「誘導面」に相当する。
【００２６】
ネジ穴１４８は、誘導面１４７に設けられ当該誘導面１４７と交差する方向に延在するネジ穴部分として構成される。止めネジ１４９は、ネジ込み操作及びネジ戻し操作によってネジ穴１４８に着脱自在に螺合する部位を有する。この止めネジ１４９は、ネジ穴１４８に装着された第１の設定状態では、溝部１４３の保持空間１４４に挿入されたＩＤチップ１３０の移動経路上において周面１３０ｃに対向するように介在し、誘導面１４７から当該誘導面１４７と交差する方向に突出する。これにより、ＩＤチップ１３０の誘導面１４７側への移動が規制ないし阻止される。一方、止めネジ１４９がネジ穴１４８から脱着された第２の設定状態では、ＩＤチップ１３０の移動経路上の介在物である止めネジ１４９が取り除かれることによって、ＩＤチップ１３０の保持空間１４４から外れた位置への移動が許容される。
【００２７】
ここでいうネジ穴１４８が、本発明における「ネジ穴」に相当し、またここでいう止めネジ１４９が、本発明における「ネジ部材」に相当する。またこれらネジ穴１４８及び止めネジ１４９は、溝部１４３の保持空間１４４で保持されたＩＤチップ１３０がスライド動作によって誘導面１４７側へと移動するのを規制する機能を果たすものであり、本発明における「規制機構」を構成する。
【００２８】
次に、上記構成の工具ホルダ１００の作用効果を、図３及び図４に加えて更に図５〜図７を参照しつつ説明する。ここで図５には、図１中の工具ホルダ１００におけるＩＤチップ取り付け領域の拡大図であって、ＩＤチップ１３０が取り付けられる過程が示され、また図６には、図５においてＩＤチップ１３０の取り付けが完了した状態が示されている。また図７には、図１中の工具ホルダ１００におけるＩＤチップ取り付け領域の平面図であって、ＩＤチップ１３０の取り付けが完了した状態が示されている。
【００２９】
ＩＤチップ１３０を工具ホルダ１００に取り付ける場合には、上記構成の工具ホルダ１００を準備する。このとき、図３及び図４に示す工具ホルダ１００のように、止めネジ１４９がネジ穴１４８から脱着された前述の第２の設定状態に設定される。その後、図５に示すように、工具ホルダ１００のホルダ本体１１０において、開口部１４６を通じて誘導面１４７上にＩＤチップ１３０が導入される。このＩＤチップ１３０は、更に誘導面１４７上を第１延在面１４１ａに向けてスライド動作（図５中の白抜き矢印で示す動作）されることで、溝部１４３の保持空間１４４に挿入される。これにより、ＩＤチップ１３０は、図６に示す既定の保持位置に保持される。この保持位置では、ＩＤチップ１３０は、その一部の縁部領域のみが第１延在面１４１ａ及び第２延在面１４２ａと重なり合うように遮蔽され、これら第１延在面１４１ａ及び第２延在面１４２ａによって上下方向（図６中の上下方向）の移動が阻止される。
【００３０】
その後、図６及び図７に示すように、止めネジ１４９がネジ穴１４８に装着された前述の第１の設定状態に設定される。これにより保持位置にあるＩＤチップ１３０は、誘導面１４７側へスライド動作しようとしたときには、周面１３０ｃが止めネジ１４９に当接することによって当該スライド動作が妨げられる。従って、このＩＤチップ１３０は、上下方向の移動に加えて、保持空間１４４から外れて誘導面１４７側へとスライドする動作が規制ないし阻止される。
【００３１】
また、工具ホルダ１００に取り付けられたＩＤチップ１３０を、取り外す或いは交換する場合には、止めネジ１４９がネジ穴１４８から脱着された前述の第２の設定状態に再度設定される。その後、ＩＤチップ１３０は、第１延在面１４１ａ上を誘導面１４７に向けてスライド動作されることで、誘導面１４７上に誘導される。そして開口部１４６を通じて誘導面１４７から工具ホルダ１００の外部へとＩＤチップ１３０が導出される。
【００３２】
上述のように、本実施の形態の工具ホルダ１００によれば、ＩＤチップ１３０を誘導面１４７上でスライド動作させつつ当該ＩＤチップ１３０を溝部１４３の保持空間１４４に挿入することが可能となるため、ＩＤチップ１３０の取り付けを簡便に行なうことが可能となる。特に、保持空間１４４を有する溝部１４３を、ホルダ本体１１０自体によって構成することで、ＩＤチップ１３０の取り付け構造が簡素化される。
【００３３】
またネジ穴１４８及び止めネジ１４９からなる規制機構によって、溝部１４３の保持空間１４４で保持されたＩＤチップ１３０が、第１延在面１４１ａに沿って誘導面１４７側へと移動するのが規制される。このとき、ＩＤチップ１３０は、規制機構と第１延在面１４１ａ及び第２延在面１４２ａとの協働によって、第１延在面１４１ａに沿った誘導面１４７側への移動と、第１延在面１４１ａと交差する方向の移動の両方が規制されて確実に保持される。
【００３４】
特に、ＩＤチップ１３０を保持空間１４４に保持した取り付け状態では、止めネジ１４９をネジ穴１４８に装着することによってＩＤチップ１３０が工具ホルダ１００から外れるのを防止する一方、止めネジ１４９をネジ穴１４８から脱着した状態では、ＩＤチップ１３０の取り外し或いは交換が可能となる。従って、ＩＤチップ１３０の取り付けのみならず、ＩＤチップ１３０の取り外しや交換を簡便に行なうのに有効とされる。
【００３５】
〔他の実施の形態〕
なお、本発明は上記の実施の形態のみに限定されるものではなく、種々の応用や変形が考えられる。例えば、上記実施の形態を応用した次の各形態を実施することもできる。
【００３６】
上記実施の形態では、ＩＤチップ１３０は、保持位置において、その一部の縁部領域のみが第１延在面１４１ａ及び第２延在面１４２ａと重なり合う場合について記載したが、本発明では、ＩＤチップ１３０の全部が重なり合うように遮蔽された構成された第１延在面及び第２延在面によって保持空間が区間された構成を採用することもできる。なおＩＤチップ１３０の全部が遮蔽される場合には、ＩＤチップ１３０の通信に影響を受けない材料を遮蔽部分に採用するのが好ましい。
【００３７】
また上記実施の形態では、溝部１４３の保持空間１４４で保持されたＩＤチップ１３０のスライド動作を規制する規制機構として、ネジ穴１４８に着脱自在に螺合する止めネジ１４９を用いる場合について記載したが、本発明では、ＩＤチップ１３０を保持空間１４４の保持する動作が少なくとも達成されればよく、止めネジ１４９に相当する部材、例えばピン状の部材が圧入等によって取り外し不能に取り付けられてもよい。
【００３８】
また上記実施の形態では、保持空間１４４を有する溝部１４３を、ホルダ本体１１０自体によって構成する場合について記載したが、本発明ではホルダ本体１１０の取り付けられる部材によって溝部１４３の相当する部位が構成されてもよい。
【図面の簡単な説明】
【００３９】
【図１】本発明の「工具ホルダ」にかかる一実施の形態の工具ホルダ１００の縦断面構造を示す図である。
【図２】実施の形態の工具ホルダ１００に取り付けられるＩＤチップ１３０の斜視図である。
【図３】図１中の工具ホルダ１００におけるＩＤチップ取り付け領域の拡大図であって、ＩＤチップ１３０が取り付けられる前の状態が示される。
【図４】図１中の工具ホルダ１００におけるＩＤチップ取り付け領域の平面図であって、ＩＤチップ１３０が取り付けられる前の状態が示される。
【図５】図１中の工具ホルダ１００におけるＩＤチップ取り付け領域の拡大図であって、ＩＤチップ１３０が取り付けられる過程が示される。
【図６】図５においてＩＤチップ１３０の取り付けが完了した状態が示される。
【図７】図１中の工具ホルダ１００におけるＩＤチップ取り付け領域の平面図であって、ＩＤチップ１３０の取り付けが完了した状態が示される。
【符号の説明】
【００４０】
１００…工具ホルダ
１１０…ホルダ本体
１１０ａ…ホルダ先端部
１２０…工具把持機構
１３０…ＩＤチップ
１３０ａ…下面
１３０ｂ…上面
１３０ｃ…周面
１４０…ＩＤチップ取り付け機構
１４１…下壁
１４１ａ…第１延在面
１４２…上壁
１４２ａ…第２延在面
１４３…溝部
１４４…保持空間
１４５…導入部
１４６…開口部
１４７…誘導面
１４８…ネジ穴
１４９…止めネジ
２００…工具
【図１】
2011045968.tif 000003
【図２】
2011045968.tif 000004
【図３】
2011045968.tif 000005
【図４】
2011045968.tif 000006
【図５】
2011045968.tif 000007
【図６】
2011045968.tif 000008
【図７】
2011045968.tif 000009